(57)【要約】【課題】  ラジアントチューブ内で燃料ガスと燃焼用空気とを混合させて燃焼させる際に、ラジアントチューブが溶損したりすることなく、燃焼時に煤が発生するのを適切に防止する。【解決手段】  ラジアントチューブ11内に燃料ガスを案内する燃料ガス案内管12を設けると共に、ラジアントチューブ内に供給された燃焼用空気を燃料ガス案内管の外周側に導いて燃料ガスと混合させて燃焼させる燃焼筒15を、燃料ガス案内管の先端部よりラジアントチューブ内に延出するように設け、燃焼筒の燃焼用空気導入側に外周部に、燃焼用空気が燃焼筒とラジアントチューブとの間に導かれるのを抑止する抑止プレート17を設けると共に、燃焼筒と燃料ガス案内管との間に、燃料ガス案内管の外周側に導かれた燃焼用空気を旋回させながら燃料ガスと混合させる旋回羽根16を設けた。【選択図】  図１
2017203569.tif 000002
【特許請求の範囲】
【請求項１】
ラジアントチューブ内に燃料ガスを案内する燃料ガス案内管が設けられると共に、ラジアントチューブ内に供給された燃焼用空気を前記の燃料ガス案内管の外周側に導き、この燃焼用空気を前記の燃料ガス案内管から噴出される燃料ガスと混合させて燃焼させる燃焼筒が、前記の燃料ガス案内管の先端部よりもラジアントチューブ内に延出するように設けられたラジアントチューブバーナーにおいて、前記の燃焼筒の燃焼用空気導入側の外周部に、燃焼用空気が燃焼筒とラジアントチューブとの間に案内されるのを抑止する抑止プレートを設けると共に、前記の燃焼筒と燃料ガス案内管との間に、燃料ガス案内管の外周側に導かれた燃焼用空気を旋回させながら前記の燃料ガスと混合させる旋回羽根を設けたことを特徴とするラジアントチューブバーナー。
【請求項２】
請求項１に記載のラジアントチューブバーナーにおいて、前記の旋回羽根を、燃料ガスを案内する燃料ガス案内管の先端部の近傍に設けたことを特徴とするラジアントチューブバーナー。
【請求項３】
請求項１又は請求項２に記載のラジアントチューブバーナーにおいて、前記の燃料ガス案内管の軸方向に対して傾斜した旋回羽根を、前記の燃焼筒と燃料ガス案内管との間において周方向に複数設けたことを特徴とするラジアントチューブバーナー。
【請求項４】
請求項１〜請求項３の何れか１項に記載したラジアントチューブバーナーにおいて、前記の抑止プレートに、前記の燃焼用空気の一部を燃焼筒の外周部に導いて燃焼筒を冷却させるための冷却用通気部を設けたことを特徴とするラジアントチューブバーナー。
【請求項５】
請求項１〜請求項４の何れか１項に記載したラジアントチューブバーナーにおいて、燃焼用空気を燃料ガスと混合させて燃焼筒内で燃焼させるにあたり、空気比μを１以下にしたことを特徴とするラジアントチューブバーナー。
【発明の詳細な説明】
【技術分野】
【０００１】
本発明は、ラジアントチューブバーナーに関するものである。特に、ラジアントチューブ内に燃料ガスを案内する燃料ガス案内管が設けられると共に、ラジアントチューブ内に供給された燃焼用空気を前記の燃料ガス案内管の外周側に導き、この燃焼用空気を前記の燃料ガス案内管から噴出される燃料ガスと混合させて燃焼させる燃焼筒が、前記の燃料ガス案内管の先端部よりもラジアントチューブ内に延出するように設けられたラジアントチューブバーナーにおいて、燃料ガス案内管の外周側に導かれた燃焼用空気と燃料ガス案内管から噴出される燃料ガスとが前記の燃焼筒内において速やかに混合されて、燃料ガスが適切に燃焼されるようにし、ラジアントチューブが溶損したりすることなく、燃焼時に煤（スモーク）が発生するのを適切に防止できるようにした点に特徴を有するものである。
【背景技術】
【０００２】
従来から、工業用の加熱炉や熱処理炉等においては、被加熱物を加熱させるにあたり、火炎が被加熱物に接触して、被加熱物が酸化されたりするのを防止するため、特許文献１等に示されるように、ラジアントチューブ内において、燃料ガスを燃焼用空気と混合させて燃焼させるようにしたラジアントチューブバーナーが利用されている。
【０００３】
ここで、このようなラジアントチューブバーナーにおいては、燃料ガスを燃焼用空気と混合させて燃焼させた場合に、ＮＯｘが発生して燃焼排ガス中にＮＯｘが含まれて排出されるおそれがある。
【０００４】
このため、特許文献２においては、燃料ガスを燃焼用空気と混合させて燃焼させる燃焼筒に燃焼排ガスを戻すようにして燃焼を行うようにし、また特許文献３においては、燃料ガスを燃焼用空気と混合させて燃焼させる燃焼筒の下流側に燃焼用空気の一部を導いて２段階の燃焼を行うようにし、これにより燃焼を緩慢にして火炎の温度を下げ、ＮＯｘが発生するのを防止することが示されている。
【０００５】
しかし、このように燃焼を緩慢にして火炎の温度を下げて、燃料ガスを燃焼させるようにした場合、煤が発生しやすくなり、特に、燃料ガスに対する燃焼用空気の量を少なくし、空気比μ（実際の空気量／理論空気量）を１．０以下にして燃焼を行うと、煤の発生が多くなるという問題があった。
【０００６】
また、従来においては、特許文献４に示されるように、ラジアントチューブ内に、燃料ガスと燃焼用空気とを軸心周りの旋回流の状態で供給して燃焼させるようにしたものが示されている。
【０００７】
ここで、このように燃料ガスと燃焼用空気とを軸心周りの旋回流の状態で供給した場合、燃料ガスと燃焼用空気とが速やかに混合されて燃焼され、煤の発生が抑制されるようになるが、燃焼が素早く行われて火炎の温度が高くなり、このような燃焼が行われる燃料噴出部分の近くが局部的に過熱されて、ラジアントチューブが部分的に溶損するという問題があった。
【先行技術文献】
【特許文献】
【０００８】
【特許文献１】特開２００６−３０８１７５号公報
【特許文献２】特開平１１−２０１４１６号公報
【特許文献３】特開平１１−２０１４１７号公報
【特許文献４】特開２０１３−１８５７９１号公報
【発明の開示】
【発明が解決しようとする課題】
【０００９】
本発明は、ラジアントチューブバーナーにおける前記のような問題を解決することを課題とするものである。
【００１０】
特に、ラジアントチューブ内に燃料ガスを案内する燃料ガス案内管が設けられると共に、ラジアントチューブ内に供給された燃焼用空気を前記の燃料ガス案内管の外周側に導き、この燃焼用空気を前記の燃料ガス案内管から噴出される燃料ガスと混合させて燃焼させる燃焼筒が、前記の燃料ガス案内管の先端部よりもラジアントチューブ内に延出するように設けられたラジアントチューブバーナーにおいて、燃料ガス案内管の外周側に導かれた燃焼用空気と燃料ガス案内管から噴出される燃料ガスとが、前記の燃焼筒内において速やかに混合されて、燃料ガスが適切に燃焼されるようにし、ラジアントチューブが溶損したりすることなく、燃焼時に煤が発生するのを適切に防止できるようにすることを課題とするものである。
【課題を解決するための手段】
【００１１】
本発明に係るラジアントチューブバーナーにおいては、前記のような課題を解決するために、ラジアントチューブ内に燃料ガスを案内する燃料ガス案内管が設けられると共に、ラジアントチューブ内に供給された燃焼用空気を前記の燃料ガス案内管の外周側に導き、この燃焼用空気を前記の燃料ガス案内管から噴出される燃料ガスと混合させて燃焼させる燃焼筒が、前記の燃料ガス案内管の先端部よりもラジアントチューブ内に延出するように設けられたラジアントチューブバーナーにおいて、前記の燃焼筒の燃焼用空気導入側の外周部に、燃焼用空気が燃焼筒とラジアントチューブとの間に案内されるのを抑止する抑止プレートを設けると共に、前記の燃焼筒と燃料ガス案内管との間に、燃料ガス案内管の外周側に導かれた燃焼用空気を旋回させながら前記の燃料ガスと混合させる旋回羽根を設けるようにした。
【００１２】
ここで、このラジアントチューブバーナーにおいては、ラジアントチューブ内に供給された燃焼用空気が、前記の燃焼筒の燃焼用空気導入側の外周部に設けられた抑止プレートによって抑止され、流路の断面積を少なくした状態でこの燃焼用空気が燃焼筒と燃料ガス案内管との間に導かれるようになるため、燃焼用空気の流速が増加する。そして、この燃焼用空気が前記の旋回羽根により高速で旋回されながら、燃料ガス案内管の先端部から噴出される燃料ガスと燃焼筒内において速やかに混合されるため、この燃焼筒内において燃料ガスが十分に燃焼されるようになり、燃焼時における煤の発生が抑制される。なお、この時に前記の燃焼筒が溶損したりするのを防止するためには、前記の燃焼によって燃焼筒が耐熱温度以上にならないように、燃焼筒の径や長さを設定することが好ましい。
【００１３】
また、本発明のラジアントチューブバーナーにおいて、燃焼筒と燃料ガス案内管との間に、燃焼用空気を旋回させる旋回羽根を設けるにあたっては、この旋回羽根を、燃料ガスを案内する燃料ガス案内管の先端部の近傍に設けることが好ましい。このようにすると、旋回羽根により旋回された燃焼用空気が、燃料ガス案内管の先端部から噴出された直後に燃料ガスとより速やかに混合され、燃焼時における煤の発生が一層抑制されるようになる。
【００１４】
また、本発明のラジアントチューブバーナーにおいては、燃焼筒と燃料ガス案内管との間に旋回羽根を設けるにあたり、燃料ガス案内管の軸方向に対して傾斜した旋回羽根を、前記の燃焼筒と燃料ガス案内管との間において周方向に複数設けるようにすることができる。
【００１５】
また、前記のように燃料ガス案内管の軸方向に対して旋回羽根を傾斜し手設けるにあたっては、燃料ガス案内管の軸方向に対して傾斜した旋回羽根の傾斜角θを１５°〜４５°の範囲にすることが好ましい。これは、旋回羽根の傾斜角θが１５°未満になると、旋回羽根によって燃焼用空気を十分に旋回させて燃料ガスと速やかに混合させることが困難になる一方、旋回羽根の傾斜角θが４５°を超えると、燃焼用空気の流れにむらが生じて、燃料ガスと適切に混合させることが困難になり、何れの場合にも、燃焼時における煤の発生を十分に抑制することが困難になるためである。
【００１６】
また、本発明のラジアントチューブバーナーにおいては、前記の抑止プレートに、前記の燃焼用空気の一部を燃焼筒の外周部に導いて燃焼筒を冷却させる冷却用通気部を設けることができる。このようにすると、前記のように燃焼用空気を旋回羽根により旋回されながら燃料ガスと速やかに混合させて、燃料ガスを燃焼筒内において燃焼させる場合に、燃焼筒が局部的に過熱されるのが抑制されて、燃焼筒が耐熱温度以上とならないようにし、燃焼筒が部分的に溶損するのが防止される。
【００１７】
また、本発明のラジアントチューブバーナーにおいては、燃焼用空気を燃料ガスと混合させて燃焼筒内で燃焼させるにあたり、空気比μを１以下にした場合においても、前記のように燃焼用空気か前記の旋回羽根により旋回されながら、燃料ガス案内管の先端部から噴出される燃料ガスと燃焼筒内において速やかに混合されて、この燃焼筒内において燃料ガスが十分に燃焼されるようになり、燃焼時に煤が発生するのが抑制される。
【発明の効果】
【００１８】
本発明におけるラジアントチューブバーナーにおいては、前記のように燃焼用空気を燃料ガス案内管とその外周側に設けた燃焼筒との間に導き、この燃焼用空気を旋回羽根により旋回させながら、燃料ガス案内管の先端部から噴出される燃料ガスと燃焼筒内において混合させて燃焼させるようにしたため、燃焼用空気と燃料ガスとが燃焼筒内において速やかに混合されて燃焼されるようになり、燃焼時における煤の発生が抑制されると共に、ラジアントチューブが溶損するのも防止されるようになる。
【図面の簡単な説明】
【００１９】
【図１】本発明の一実施形態に係るラジアントチューブバーナーにおいて、ラジアントチューブを加熱炉の炉壁を通して加熱炉内に導く状態を示した概略断面説明図である。
【図２】同実施形態に係るラジアントチューブバーナーにおいて、前記の図１におけるＡ−Ａ線断面説明図である。
【図３】同実施形態に係るラジアントチューブバーナーにおいて、前記の図１におけるＢ−Ｂ線断面説明図である。
【図４】同実施形態に係るラジアントチューブバーナーにおいて、燃焼筒と燃料ガス案内管との間に旋回羽根を設けるにあたり、旋回羽根を燃料ガス案内管の軸方向に対して所定の傾斜角θで傾斜するように設ける状態を示した部分説明図ある。
【発明を実施するための最良の形態】
【００２０】
以下、本発明の実施形態に係るラジアントチューブバーナーを添付図面に基づいて具体的に説明する。なお、本発明に係るラジアントチューブバーナーは、下記の実施形態に示したものに限定されず、発明の要旨を変更しない範囲において、適宜変更して実施できるものである。
【００２１】
この実施形態におけるラジアントチューブバーナー１０においては、図１に示すように、ラジアントチューブ１１を加熱炉１の炉壁１ａを通して加熱炉１内に導くようにしている。
【００２２】
ここで、このラジアントチューブバーナー１０においては、加熱炉１の炉外に延出されたラジアントチューブ１１の一端部に、加熱炉１内に導入されたラジアントチューブ１１内に燃料ガスを案内する燃料ガス案内管１２を設け、この燃料ガス案内管１２の中心部に着火用の点火プラグ１３を設けると共に、ラジアントチューブ１１内に燃焼用空気を供給する燃焼用空気供給管１４を設けている。
【００２３】
そして、この実施形態におけるラジアントチューブバーナー１０においては、ラジアントチューブ１１内に設けられた前記の燃料ガス案内管１２の外周側に、燃焼筒１５を燃料ガス案内管１２の先端部よりもラジアントチューブ１１内に延出するように設け、前記のようにラジアントチューブ１１内に供給された燃焼用空気を、この燃焼筒１５と燃料ガス案内管１２との間に導くようにしている。
【００２４】
また、このように燃焼筒１５と燃料ガス案内管１２との間に導かれた燃焼用空気を、燃焼筒１５と燃料ガス案内管１２との間に設けた旋回羽根１６により旋回させながら、燃料ガス案内管１２の先端部より前方に延出された燃焼筒１５内において、前記の燃焼用空気を燃料ガス案内管１２の先端に設けられた燃料ガス噴出口１２ａから噴出された燃料ガスと混合させて燃焼させるようにしている。
【００２５】
そして、前記のようにラジアントチューブ１１内に供給された燃焼用空気を、燃料ガス案内管１２とその外周に設けられた燃焼筒１５との間に導くにあたっては、前記の燃焼筒１５の燃焼用空気導入側の端部に、ラジアントチューブ１１内に供給された燃焼用空気が燃焼筒１５とラジアントチューブ１１との間に案内されるのを抑止する抑止プレート１７を設けるようにしている。
【００２６】
ここで、この実施形態においては、図１及び図２に示すように、前記の抑止プレート１７の外径をラジアントチューブ１１の内径よりも僅かに小さくして、燃焼用空気の一部を燃焼筒１５の外周部に導いて燃焼筒１５を冷却させるための冷却用通気部１７ａを、前記の抑止プレート１７の外周とラジアントチューブ１１の内周との間に一定した間隔で設けると共に、前記の燃焼筒１５と燃料ガス案内管１２との間において、空気導入口１７ｂを周方向に複数設け、これらの空気導入口１７ｂを通して、ラジアントチューブ１１内に供給された燃焼用空気を、前記の燃焼筒１５と燃料ガス案内管１２との間に導くようにしている。
【００２７】
そして、この実施形態のように、冷却用通気部１７ａを抑止プレート１７の外周とラジアントチューブ１１の内周との間に一定した間隔で設けるようにすると、燃焼筒１５に抑止プレート１７等を取り付けた状態で、これらをラジアントチューブ１１内に設ける作業が容易になる一方、これらをラジアントチューブ１１内に適当な保持部材（図示せず）によって保持させることが必要になる。なお、図示していないが、前記の抑止プレート１７に冷却用通気部１７ａを部分的に設けるようにしたり、また冷却用通気部１７ａを設けないようにすることも可能である。
【００２８】
また、この実施形態においては、前記の燃焼筒１５内において、前記のように燃焼筒１５と燃料ガス案内管１２との間に導かれた燃焼用空気を旋回羽根１６により旋回させて、燃料ガス案内管１２先端の燃料ガス噴出口１２ａから噴出された燃料ガスと混合させるにあたり、前記の燃料ガス案内管１２の先端部の近傍において、図３に示すように、燃料ガス案内管１２の先端側から見た形状が扇形状になった旋回羽根１６を、図４に示すようにラジアントチューブ１１の軸方向Ｘに対して所定の傾斜角θで傾斜するようにして、前記の燃焼筒１５と燃料ガス案内管１２との間において周方向に複数枚（図に示す例では８枚）配置させるようにしている。なお、旋回羽根１６は、燃料ガス案内管１２の先端部のできるだけ近傍に配置するのが良く、旋回羽根１６の少なくとも一部が燃料ガス案内管１２の先端面と同じ位置にあるのが好ましい。
【００２９】
ここで、この実施形態においては、周方向に複数枚の旋回羽根１６を配置させるにあたり、図３に示すように、隣り合う旋回羽根１６が放射方向に沿って部分的に重なって反対側が見えないようにしている。このようにすると、前記の空気導入口１７ｂを通して燃焼筒１５と燃料ガス案内管１２との間に導かれた燃焼用空気が、旋回羽根１６に当たらないで直接通過するのが防止され、燃焼用空気が各旋回羽根１６に沿って旋回されながら、燃料ガス噴出口１２ａから噴出された燃料ガスと燃焼筒１５内において適切に混合されるようになる。
【００３０】
また、図４に示すように、旋回羽根１６をラジアントチューブ１１の軸方向Ｘに対して所定の傾斜角θで傾斜するように設けるにあたっては、前記のように燃焼筒１５と燃料ガス案内管１２との間に導かれた燃焼用空気が、旋回羽根１６によって十分に旋回されて燃料ガス噴出口１２ａから噴出された燃料ガスと燃焼筒１５内において速やかに混合されて燃焼されるようにするため、ラジアントチューブ１１の軸方向Ｘに対する旋回羽根１６の傾斜角θが１５°〜４５°の範囲になるようにしている。
【００３１】
そして、前記のように燃焼筒１５と燃料ガス案内管１２との間に導かれた燃焼用空気を旋回羽根１６により旋回させ、この燃焼用空気を燃料ガス噴出口１２ａから噴出された燃料ガスと燃焼筒１５内において速やかに混合させて燃焼させるようにすると、燃焼時における煤の発生が抑制される。なお、この実施形態においては、前記の燃焼によって燃焼筒１５が溶損するのを防止するため、燃焼時に燃焼筒１５が耐熱温度以上にならないように燃焼筒１５の径や長さを設定している。
【００３２】
また、この実施形態におけるラジアントチューブバーナー１０においては、前記のように燃料ガスと燃焼用空気とを燃焼筒１５内において速やかに混合させて燃焼させるようにしたため、燃料ガスに対する燃焼用空気の量を少なくし、空気比μを１．０以下にして燃焼を行った場合においても、燃焼時における煤の発生が抑制されるようになり、空気比μの調整範囲の広いラジアントチューブバーナー１０を提供することができる。また、空気比μを１．０近辺で燃やし、空気比μがランダムに１．０以下になるような場合でも煤の発生を心配せずに済む。
【符号の説明】
【００３３】
１      ：加熱炉
１ａ    ：炉壁
１０    ：ラジアントチューブバーナー
１１    ：ラジアントチューブ
１２    ：燃料ガス案内管
１２ａ  ：燃料ガス噴出口
１３    ：点火プラグ
１４    ：燃焼用空気供給管
１５    ：燃焼筒
１６    ：旋回羽根
１７    ：抑止プレート
１７ａ  ：冷却用通気部
１７ｂ  ：空気導入口
Ｘ      ：燃料ガス案内管の軸方向
θ      ：傾斜角
【図１】
2017203569.tif 000003
【図２】
2017203569.tif 000004
【図３】
2017203569.tif 000005
【図４】
2017203569.tif 000006
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
ラジアントチューブ内に燃料ガスを案内する燃料ガス案内管が設けられると共に、ラジアントチューブ内に供給された燃焼用空気を前記の燃料ガス案内管の外周側に導き、この燃焼用空気を前記の燃料ガス案内管から噴出される燃料ガスと混合させて燃焼させる燃焼筒が、前記の燃料ガス案内管の先端部よりもラジアントチューブ内に延出するように設けられたラジアントチューブバーナーにおいて、前記の燃焼筒の燃焼用空気導入側の外周部に、燃焼用空気が燃焼筒とラジアントチューブとの間に案内されるのを抑止する抑止プレートを設けると共に、前記の燃焼筒と燃料ガス案内管との間に、燃料ガス案内管の外周側に導かれた燃焼用空気を旋回させながら前記の燃料ガスと混合させる旋回羽根を燃料ガス案内管の軸方向に対して傾斜させて周方向に複数設け、隣り合う旋回羽根が放射方向に沿って部分的に重なって反対側が見えないように配置させたことを特徴とするラジアントチューブバーナー。
【請求項２】
請求項１に記載のラジアントチューブバーナーにおいて、前記の旋回羽根を、燃料ガスを案内する燃料ガス案内管の先端部の近傍に設けたことを特徴とするラジアントチューブバーナー。
【請求項３】
請求項１又は請求項２に記載のラジアントチューブバーナーにおいて、前記の抑止プレートに、前記の燃焼用空気の一部を燃焼筒の外周部に導いて燃焼筒を冷却させるための冷却用通気部を設けたことを特徴とするラジアントチューブバーナー。
【請求項４】
請求項１〜請求項３の何れか１項に記載したラジアントチューブバーナーにおいて、燃焼用空気を燃料ガスと混合させて燃焼筒内で燃焼させるにあたり、空気比μを１以下にしたことを特徴とするラジアントチューブバーナー。
【手続補正２】
【補正対象書類名】明細書
【補正対象項目名】００１１
【補正方法】変更
【補正の内容】
【００１１】
本発明に係るラジアントチューブバーナーにおいては、前記のような課題を解決するために、ラジアントチューブ内に燃料ガスを案内する燃料ガス案内管が設けられると共に、ラジアントチューブ内に供給された燃焼用空気を前記の燃料ガス案内管の外周側に導き、この燃焼用空気を前記の燃料ガス案内管から噴出される燃料ガスと混合させて燃焼させる燃焼筒が、前記の燃料ガス案内管の先端部よりもラジアントチューブ内に延出するように設けられたラジアントチューブバーナーにおいて、前記の燃焼筒の燃焼用空気導入側の外周部に、燃焼用空気が燃焼筒とラジアントチューブとの間に案内されるのを抑止する抑止プレートを設けると共に、前記の燃焼筒と燃料ガス案内管との間に、燃料ガス案内管の外周側に導かれた燃焼用空気を旋回させながら前記の燃料ガスと混合させる旋回羽根を燃料ガス案内管の軸方向に対して傾斜させて周方向に複数設け、隣り合う旋回羽根が放射方向に沿って部分的に重なって反対側が見えないように配置させるようにした。
【手続補正３】
【補正対象書類名】明細書
【補正対象項目名】００１２
【補正方法】変更
【補正の内容】
【００１２】
ここで、このラジアントチューブバーナーにおいては、ラジアントチューブ内に供給された燃焼用空気が、前記の燃焼筒の燃焼用空気導入側の外周部に設けられた抑止プレートによって抑止され、流路の断面積を少なくした状態でこの燃焼用空気が燃焼筒と燃料ガス案内管との間に導かれるようになるため、燃焼用空気の流速が増加する。そして、この燃焼用空気が前記のように燃料ガス案内管の軸方向に対して傾斜させて周方向に複数設けられ、隣り合う旋回羽根が放射方向に沿って部分的に重なって反対側が見えないように配置された前記の旋回羽根により高速で旋回されながら、燃料ガス案内管の先端部から噴出される燃料ガスと燃焼筒内において速やかに混合されるため、この燃焼筒内において燃料ガスが十分に燃焼されるようになり、燃焼時における煤の発生が抑制される。なお、この時に前記の燃焼筒が溶損したりするのを防止するためには、前記の燃焼によって燃焼筒が耐熱温度以上にならないように、燃焼筒の径や長さを設定することが好ましい。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、前記のように燃料ガス案内管の軸方向に対して旋回羽根を傾斜させて周方向に複数設け、隣り合う旋回羽根が放射方向に沿って部分的に重なって反対側が見えないように配置させるにあたっては、燃料ガス案内管の軸方向に対して傾斜した旋回羽根の傾斜角θを１５°〜４５°の範囲にすることが好ましい。これは、旋回羽根の傾斜角θが１５°未満になると、旋回羽根によって燃焼用空気を十分に旋回させて燃料ガスと速やかに混合させることが困難になる一方、旋回羽根の傾斜角θが４５°を超えると、燃焼用空気の流れにむらが生じて、燃料ガスと適切に混合させることが困難になり、何れの場合にも、燃焼時における煤の発生を十分に抑制することが困難になるためである。